(57)【要約】　　　（修正有）【課題】従来の腰袋、釘袋は、平ロープ巻取り装置やショックアブソーバーなどの装置を有する安全帯に取付けた際、ベルト通し部に装置類が引っかかり、それらが位置する部分に取付ける事ができず、装置を有しない安全帯やベルトに比べおおよそ３分の１程度のスペースが使えなかった。【解決手段】ベルト通し２を２本の独立した形状とする事により、ショックアブソーバー付の平ロープ巻取り式安全帯３など、装置が多数ついた安全帯の装置の配置された部分に於いても簡単に着脱でき、使用者の作業性を良くした。【選択図】　　図１
0003098146.tif 000002
【実用新案登録請求の範囲】
【請求項１】
従来の腰袋は、平ロープ巻取り装置やショックアブソーバーなどの装置を有する安全帯に取付ける際、ベルト通し部が装置類に引っかかりそれらが位置する部分には取付ける事ができなかったが、当該品は、片面は固定し片面は着脱可能な独立した２本のベルト通しを有し、平ロープ巻取り式安全帯及びショックアブソーバー付安全帯など装置類の取付けられた安全帯において、それら装置類が取付けられた箇所にも簡単に取付ける事が出来る為、ショックアブソーバー付平ロープ巻取り式安全帯など装置が多数取付けられた安全帯に於いても任意の位置に簡単に着脱でき、腰回りの全てのスペースを使えるようにし、高所での作業効率を上げた腰袋である。
【請求項２】
独立した２本のベルト通しの着脱部を３つの固定ボタンのみならずマジックテープで補強し、平ロープ巻取り式安全帯等に取付けた際、ボタンの止め方が不十分な場合も腰袋が脱落することの無いという２重の安全性を確保した腰袋である。
【請求項３】
本体上部に補強版を取付け、併せて角も補強する事により、平ロープ巻取り式安全帯など装置を有する安全帯に取付けた際、本体がたわまない為、ベルトと本体との段差を解消し、手や道具などが引っ掛らないようにした腰袋。
【考案の詳細な説明】
【０００１】
【考案の属する技術分野】
本考案で取り上げた腰袋とは、作業時に工具や部材、金物などを携帯するため、ベルトや安全帯に取付けて使用する袋のことであり、本考案はこの腰袋に関するものである。
【０００２】
【従来の技術及び解決しようとする課題】
従来の腰袋を平ロープ巻取り装置やショックアブソーバーなどの装置を有する安全帯に取付けようとするとベルト通し部が装置類に引っかかり、それら装置類が取付けられた箇所には取付ける事ができ無い為、胴回りのおおよそ３分の１のスペースが使えず、また、取付け箇所も限られてしまう。この為、平ロープ巻取り式安全帯やショックアブソーバー付き安全帯、その他装置を有する安全帯を使用して高所で作業するに当たっては、一般の安全帯に比べ著しく作業効率が悪かった。
【０００３】
本考案は上述した問題点を解決する腰袋を提唱するものである。
【０００４】
【考案を解決するための手段】
腰袋本体（図２−１）を平ロープ巻取り式安全帯及びショックアブソーバー付き安全帯などの装置を有する安全帯に取付ける為のベルト通しを、片面が着脱可能な独立した２本のベルト通し（図２−２）とし、平ロープ巻取り装置及びショックアブソーバー等の装置とベルトとの間を通すことにより、平ロープ巻取り式安全帯等装置を有する安全帯に於いて、それらの装置の取付けられた箇所にも腰袋を取付ける事を可能とした。（図４）
【０００５】
ナイロン製の独立した２本のベルト通し（図２−２）の巾を異なる巾とし、かつ、間隔を開け、本体部分より上げることにより、耐荷重量を下げることなく、平ロープ巻取り装置とその他装置が同時に取付けられた安全帯に取付けられる。（図１）また、平ロープ巻取り式安全帯に補助ベルトを装着した状態でも取付けられる。
【０００６】
また、ベルト通し部の着脱部分（図３−４）は３つのボタンで強固に固定でき、かつマジックテープでも固定され、万一ボタンの取り付けが不十分な場合もマジックテープにより固定されるという２重の安全性を確保した。（図４）
【０００７】
本体上部に補強板を付け、かつ、角を補強することにより（図３）、平ロープ巻取り式安全帯等に取付けた際、ベルトの表面と腰袋の上部に大きな段差の生じるのを防ぎ、腰袋に入った工具や部材を取り出す際に手や工具などが引っかかるといった作業中の障害を減らした。
【０００８】
【考案の実施の形態】
本考案の実施例を図面によって説明する。本体（図２−１）を平ロープ巻取り式安全帯及びショックアブソーバー付き安全帯等、装置等を有する安全帯に取付ける方法は、２本の独立したベルト通しの片面を外し、巻取り装置などの機械とベルトとの隙間を通しベルトを巻くように返し、再び３つのボタンとマジックテープにより止める。（図４−９）
【００１２】
当該品は、平ロープ巻取り式安全帯及びその他装置を有する安全帯に取付けた際、上部の補強板（図３−８）と角の補強（図３−７）により、腰袋上部がたわまず、ベルトと本体上部との段差を少なくした腰袋である。
【００１３】
【考案の効果】
従来の腰袋は、平ロープ巻取り装置やショックアブソーバーなどの装置を有する安全帯に取付ける際、ベルト通し部が装置類に引っかかりそれらが位置する部分には取付ける事ができなかったが、当該品は、片面は固定し片面は着脱可能な独立した２本のベルト通しを有し、平ロープ巻取り式安全帯及びショックアブソーバー付安全帯など装置類の取付けられた安全帯において、それら装置類が取付けられた箇所にも簡単に取付ける事が出来る為、ショックアブソーバー付平ロープ巻取り式安全帯など装置が多数取付けられた安全帯に於いても任意の位置に簡単に着脱でき、腰回りの全てのスペースを使えるようにし、高所での作業効率を上げた腰袋である。（図１）
従来の腰袋は、平ロープ巻取り装置やショックアブソーバーなどの装置を有する安全帯に取付ける際、装置類がベルト通し部に引っかかりそれらが位置する部分に取付ける事ができなかった。この為、胴回りのおおよそ３分の１程度のスペースが使えなかったが、本考案は、ベルト通しを２本の独立した形状とし片面を着脱式にする事により、ショックアブソーバー付平ロープ巻取り式安全帯など装置が多数取付けられた安全帯に於いても、任意の位置に簡単に着脱でき、全てのスペースを使えるようにした。（図１）また、ベルトと腰袋本体の差異を最小限に抑え、作業中の障害を減らした。（図１）これにより平ロープ巻取り式安全帯等の装置を有する安全帯を使用する際、従来品より多くの腰袋を携帯することが出来、高所で安全帯を使用して作業を行うにあたっての使用者がより安全に作業を行えるようにした。これにより平ロープ巻取り式及びショックアブソーバー付き安全帯を使用しても取付けられる腰袋の数は変わらず、一般の安全帯やベルトと変わらない作業性を保つことが出来、高所でも安全に作業ができる。
【００１４】
３社の巻取り式安全帯（ショックアブソーバー付き）３種で当該品の取付けを試みた。またそれぞれ、補助ベルトを装着した状態での取付けも試みた。どの安全帯でどの状態でも取付けることが出来、あらゆる安全帯及びベルトに装着できることが確認できた。
【図面の簡単な説明】
【図１】設置図
【図２】全体図
【図３】全体図（裏面）
【図４】ベルト通し部拡大図
【符号の説明】
１　　　腰袋本体
２　　　独立型ベルト通し
３　　　平ロープ巻取り式安全帯
４　　　独立型ベルト通し着脱部
５　　　平ロープ巻取り装置
６　　　ショックアブソーバー
７　　　角補強
８　　　補強板
９　　　マジックテープ
【図１】
0003098146.tif 000003
【図２】
0003098146.tif 000004
【図３】
0003098146.tif 000005
【図４】
0003098146.tif 000006
【手続補正書】
【提出日】平成15年3月12日(2003.3.12)
【手続補正１】
【補正対象書類名】明細書
【補正対象項目名】実用新案登録請求の範囲
【補正方法】変更
【補正の内容】
【実用新案登録請求の範囲】
【請求項１】
従来の腰袋は、平ロープ巻取り装置やショックアブソーバーなどの装置を有する安全帯に取付ける際、ベルト通し部が装置類に引っかかりそれらが位置する部分には取付ける事ができなかったが、当該品は腰袋本体を平ロープ巻取り式安全帯及びショックアブソーバー付き安全帯などの装置を有する安全帯に取付ける為の片面が着脱可能な独立した２本のベルト通しを有し、この２本のベルト通しを平ロープ巻取り装置及びショックアブソーバー等の装置とベルトとの間を通すことにより、平ロープ巻取り式安全帯等装置を有する安全帯に於いて、それらの装置の取付けられた箇所にも腰袋を取付ける事を可能とし、ショックアブソーバー付平ロープ巻取り式安全帯など装置が多数取付けられた安全帯に於いても任意の位置に簡単に着脱でき、腰回りの全てのスペースを使えるようにし、従来品に比べ著しく作業効率を上げた腰袋。
【請求項２】
独立した２本のベルト通しの着脱部を３つの固定ボタンのみならず面ファスナーで補強し、平ロープ巻取り式安全帯等に取付けた際、ボタンの止め方が不十分な場合も腰袋が脱落することの無いという２重の安全性を確保した腰袋。
【請求項３】
本体上部に補強版を取付け、併せて角も補強する事により、平ロープ巻取り式安全帯など装置を有する安全帯に取付けた際、本体がたわまない為、ベルトと本体との段差を解消し、手や道具などが引っ掛らないようにした腰袋。
【手続補正書】
【提出日】平成15年6月12日(2003.6.12)
【手続補正１】
【補正対象書類名】明細書
【補正対象項目名】実用新案登録請求の範囲
【補正方法】変更
【補正の内容】
【実用新案登録請求の範囲】
【請求項１】
腰袋本体を平ロープ巻取り式安全帯及びショックアブソーバー付き安全帯などの装置を有する安全帯に取付ける為の片面が着脱可能な独立した２本のベルト通しを有し、この２本のベルト通しを平ロープ巻取り装置及びショックアブソーバー等の装置とベルトとの間を通すことにより、平ロープ巻取り式安全帯等装置を有する安全帯に於いて、それらの装置の取付けられた箇所にも腰袋を取付ける事を可能とし、ショックアブソーバー付平ロープ巻取り式安全帯など装置が多数取付けられた安全帯に於いても、簡単に任意の位置に着脱でき、腰回りの全てのスペースを使えるようにした腰袋。
【請求項２】
請求項１に示したような独立した２本のベルト通しを有する腰袋を始め、ベルト通し部の片面が着脱可能な腰袋に於いて、着脱部を固定ボタンのみならず面ファスナーで補強し、平ロープ巻取り式安全帯や一般の安全帯等に取付けた際、ボタンの止め方が不十分な場合も腰袋が脱落することの無いという２重の安全性を確保した腰袋。
【請求項３】
腰袋本体の背面上部に補強版を取付け、併せて角も補強する事により、腰袋を平ロープ巻取り式安全帯など装置を有する安全帯や一般の安全帯に取付けた際、本体がたわまない為、ベルトが腰袋本体の内側へ突出するのが押えられ、ベルトと腰袋本体との段差が解消し、手や道具などがベルトや腰袋本体に引っ掛らないようにした腰袋。
【手続補正２】
【補正対象書類名】明細書
【補正対象項目名】考案の詳細な説明
【補正方法】変更
【補正の内容】
【考案の詳細な説明】
【０００１】
【考案の属する技術分野】
本考案で取り上げた腰袋とは、作業時に工具や部材、金物などを携帯するため、ベルトや安全帯に取付けて使用する袋のことであり、本考案はこの腰袋に関するものである。
【０００２】
【従来の技術及び解決しようとする課題】
従来の腰袋を平ロープ巻取り装置やショックアブソーバーなどの装置を有する安全帯に取付けようとするとベルト通し部が装置類に引っかかり、それら装置類が取付けられた箇所には取付ける事ができ無い為、胴回りのおおよそ３分の１のスペースが使えず、また、取付け箇所も限られてしまう。この為、平ロープ巻取り式安全帯やショックアブソーバー付き安全帯、その他装置を有する安全帯を使用して高所で作業するに当たっては、一般の安全帯に比べ著しく作業効率が悪かった。
【０００３】
本考案は上述した問題点を解決する腰袋を提唱するものである。
【０００４】
【考案を解決するための手段】
腰袋本体（図２−１）を平ロープ巻取り式安全帯及びショックアブソーバー付き安全帯などの装置を有する安全帯に取付ける為のベルト通しを、片面が着脱可能な独立した２本のベルト通し（図２−２）とし、平ロープ巻取り装置及びショックアブソーバー等の装置とベルトとの間を通すことにより、平ロープ巻取り式安全帯等装置を有する安全帯に於いて、それらの装置の取付けられた箇所にも腰袋を取付ける事を可能とした。（図４）
【０００５】
ナイロン製の独立した２本のベルト通し（図２−２）の巾を異なる巾とし、かつ、間隔を開け、本体部分より上げることにより、耐荷重量を下げることなく、平ロープ巻取り装置とその他装置が同時に取付けられた安全帯に取付けられる。（図１）また、平ロープ巻取り式安全帯に補助ベルトを装着した状態でも取付けられる。
【０００６】
請求項１に示したような独立した２本のベルト通しを有する腰袋を始め、ベルト通し部を広げることが可能な腰袋に於いて、ベルト通し部の着脱部分（図３−４）はボタン（図３−４）で強固に固定でき、かつ面ファスナー（図３−９）でも固定され、万一ボタンの取り付けが不十分な場合も面ファスナーにより固定されるという、２重の安全性を確保した。（図４）
【０００７】
本体背面上部に補強板を付け（図３−８）、かつ、角を補強することにより（図３−７）、平ロープ巻取り式安全帯や一般の安全帯等に取付けた際（図１）、ベルトが腰袋本体の内側へ突出するのを押え、ベルトの表面（図１−７）と腰袋上部（図１−１）に大きな段差が生じるのを防ぎ、腰袋に入った工具や部材を取り出す際、手や工具などが引っかかるといった作業中の障害を減らした。
【０００８】
【考案の実施の形態】
本考案の実施例を図面によって説明する。本体（図２−１）を平ロープ巻取り式安全帯及びショックアブソーバー付き安全帯等、装置等を有する安全帯に取付ける方法は、２本の独立したベルト通しの片面を外し、巻取り装置などの機械とベルトとの隙間を通しベルトを巻くように返し、再び３つのボタンとマジックテープにより止める。（図４−９）
【０００９】
当該品は、平ロープ巻取り式安全帯及びその他装置を有する安全帯や一般の安全帯に取付けた際、腰袋本体上部の補強板（図３−８）と角の補強（図３−７）により、腰袋上部がたわまず、ベルトが腰袋本体の内側へ突出するのを押え、ベルトと腰袋本体上部との段差を少なくし、腰袋に入った工具や部材を取り出す際、手や工具などが引っかかるといつた作業中の障害を減らした。
【００１０】
【考案の効果】
従来の腰袋は、平ロープ巻取り装置やショックアブソーバーなどの装置を有する安全帯に取付ける際、装置類がベルト通し部に引っかかりそれらが位置する部分に取付ける事ができなかった。この為、胴回りのおおよそ３分の１程度のスペースが使えなかったが、本考案は、ベルト通しを２本の独立した形状（図２−２）とし片面を着脱式にする事（図３−４）により、ショックアブソーバー付平ロープ巻取り式安全帯など装置が多数取付けられた安全帯に於いても、任意の位置に簡単に着脱でき、全てのスペースを使えるようにした。（図１）また、腰袋本体上部の補強板（図３−８）と角の補強（図３−７）により、腰袋本体上部がたわまず、ベルトが腰袋本体の内側へ突出するのを押え、ベルトと腰袋本体の差異を最小限に抑え、作業中の障害を減らした。（図１）これにより平ロープ巻取り式安全帯等の装置を有する安全帯を使用する際、従来品より多くの腰袋を携帯することが出来、高所で安全帯を使用して作業を行うにあたっての使用者がより安全に作業を行えるようにした。これにより平ロープ巻取り式及びショックアブソーバー付き安全帯を使用しても一般の安全帯と取付けられる腰袋の数は変わらず、一般の安全帯やベルトと変わらない作業性を保つことが出来、高所でも安全に効率よく作業ができる。
【００１１】
３社の巻取り式安全帯（ショックアブソーバー付き）３種で当該品の取付けを試みた。またそれぞれ、補助ベルトを装着した状態での取付けも試みた。どの安全帯でどの状態でも取付けることが出来、あらゆる安全帯及びベルトに装着できることが確認できた。